(57)【要約】ドアまたは窓のような閉鎖可動部のためのセキュリティ装置は、リンク部材であって、使用状態でこのリンク部材を装着する閉鎖可動部に配置するセキュリティ装置の部分と、使用状態で前記リンク部材を装着する閉鎖可動部に隣接して配置するセキュリティ装置の部分との間に延び、それにより閉鎖可動部が所定角度を超えて開くのを阻止する、該リンク部材と、加圧した物質を収容する容器と、支持構体に容器を固定するための容器ホルダであって、容器は閉鎖可動部の近傍に近づく対象物に噴霧する位置に存在する容器ホルダと、およびリンク部材に係合し、所定レベルを超えて閉鎖可動部に圧力が加わると容器に圧力がかかり、これにより容器が噴霧するアクチュエータアクチュエータを備える。
2010525202.tif 000002
【特許請求の範囲】
【請求項１】
ドアまたは窓のような閉鎖可動部のためのセキュリティ装置において、
使用時にリンク部材を取り付ける前記閉鎖可動部に配置する前記セキュリティ装置の部分と、使用時に前記リンク部材を取り付ける前記閉鎖可動部に隣接して配置する前記セキュリティ装置の部分との間に延在するリンク部材であって、所定角度を超えて前記閉鎖可動部が開くのを制限する、該リンク部材と、
加圧した物質を収容する容器と、
前記容器を支持構体に固定し、これにより前記容器を前記閉鎖可動部近傍の対象に噴霧する位置をとることができるにする容器ホルダと、および
前記リンク部材に係合し、前記容器に加圧するアクチュエータで、所定レベルを超える圧力が前記閉鎖可動部に加わるとき前記容器に圧力が加わり、これにより前記容器に噴霧を行わせるアクチュエータと
を備えたセキュリティ装置。
【請求項２】
請求項１に記載のセキュリティ装置において、前記アクチュエータには、前記容器ホルダに回動可能に取り付け、また前記リンク部材に係合するレバーを設け、これにより、前記リンク部材に十分な引張力が加わるとき前記レバーが前記容器に作用して噴霧を行わせるセキュリティ装置。
【請求項３】
請求項２に記載のセキュリティ装置において、前記レバーは、所定圧力レベルを超えるときのみ壊れる保持コンポーネントを備える構成とするセキュリティ装置。
【請求項４】
請求項３に記載のセキュリティ装置において、さらに、レバーを取り付ける取り付け具を備え、前記保持コンポーネントを前記レバーおよびその取り付け具に貫通するせん断可能なピンとしたセキュリティ装置。
【請求項５】
請求項１〜４のいずれか一項に記載のセキュリティ装置において、前記セキュリティ装置は、さらに可聴警報器を備えたセキュリティ装置。
【請求項６】
請求項２に記載のセキュリティ装置において、前記レバーは、セキュリティ装置を作動させるために、前記容器に係合して持ち上げ、前記ホルダに押し付けるカム部を有する構成としたセキュリティ装置。
【請求項７】
請求項２に記載のセキュリティ装置において、前記アクチュエータは、さらに、前記容器の下側に配置したディスク部材を有し、使用にあたりレバーがこのディスク部材に圧力を加えるよう構成したセキュリティ装置。
【請求項８】
請求項７に記載のセキュリティ装置において、２個またはそれ以上のディスク部材を1個またはそれ以上のバネ部材により互いに連結したセキュリティ装置。
【請求項９】
請求項１〜８のいずれか一項に記載のセキュリティ装置において、前記容器は、容器の上方部分に配置した噴霧装置をトリガするボタン、および側面に配置した噴霧ダクトを有し、前記セキュリティ装置は、さらに、容器ホルダとして作用し、また前記容器の噴霧ダクトに対応する少なくとも1個の側方開孔を設けたハウジングを備えるセキュリティ装置。
【請求項１０】
請求項９に記載のセキュリティ装置において、前記ハウジングは、前記ハウジングの両側に位置する２個の側方開孔を有する構成とするセキュリティ装置。
【請求項１１】
請求項１に記載のセキュリティ装置において、前記アクチュエータは、可聴警報および／または液体噴霧器を作動させる電気的または電子的回路を有する構成とするセキュリティ装置。
【請求項１２】
閉鎖可動部を開くとポップアウトして目に見えるよう出現し、可動部を閉じると引っ込んだ状態に復帰するユニットを備えるドアまたは窓のような閉鎖可動部のためのセキュリティシステムにおいて、前記ユニットには、ユニットがポップアウト位置にあるときにスイッチオン状態になる電動セキュリティコンポーネントを設けたことを特徴とするセキュリティシステム。
【請求項１３】
請求項１２に記載のセキュリティシステムにおいて、前記セキュリティコンポーネントをカメラとしたセキュリティシステム。
【請求項１４】
請求項１２または１３記載のセキュリティシステムにおいて、前記セキュリティコンポーネントを噴霧器  としたセキュリティシステム。
【請求項１５】
請求項１２〜１４のいずれか一項に記載のセキュリティシステムにおいて、前記ユニットを、枠体のキャビティに配置し、前記枠体においてヒンジ連結し、またバイアス手段を設け、閉鎖可動部が開くとき前記ユニットを枠体からポップアウトさせるよう構成したセキュリティシステム。
【請求項１６】
請求項１３に記載のセキュリティシステムにおいて、前記カメラは、前記ユニットから離れた位置に画像を表す信号を送信する無線送信機と共に作動するセキュリティシステム。
【請求項１７】
請求項１２〜１６のいずれか一項に記載のセキュリティシステムにおいて、前記電動セキュリティコンポーネントを閉鎖可動部ブロッカーに連結し、この閉鎖可動部ブロッカーは、ドアが部分的に開く所定角度を超えて開くのを阻止し、また過度の圧力が前記ブロッカーに加わるとき作動するものとしたセキュリティシステム。
【請求項１８】
ドアのような閉鎖可動部が部分的に開く所定角度を超えて開くのを阻止するセキュリティシステムであって、
外枠と、
使用状態で前記閉鎖可動部の開口端縁に隣接して前記外枠を取り付ける手段と、
閉鎖可動部の開閉をブロックしない不作動位置から、前記外枠を超えた作動位置から内外に変位可能なアームであって、前記作動位置では閉鎖可動部が部分的に開く前記所定角度を超えて開くことをブロックする該アームと
を備えた、該セキュリティシステムにおいて、
前記外枠を取り付ける手段は、前記外枠を固定するための多数の所定位置を備えることを特徴とするセキュリティシステム。
【請求項１９】
請求項１８に記載のセキュリティシステムにおいて、前記取り付け手段は、１個またはそれ以上のレールを備え、前記外枠を前記レールに取り付けて、多数の所定位置に配置できるようにしたセキュリティシステム。
【請求項２０】
ドアのような閉鎖可動部が部分的に開く所定角度を超えて開くのを阻止するセキュリティシステムであって、
外枠と、
使用状態で前記閉鎖可動部の開口端縁に隣接して前記外枠を取り付ける手段と、
閉鎖可動部の開閉をブロックしない不作動位置から、前記外枠を超えた作動位置から内外に変位可能なアームであって、前記作動位置では閉鎖可動部が部分的に開く前記所定角度を超えて開くことをブロックする該アームと、および
前記アームの動きを駆動するアクチュエータと
を備えた、該セキュリティシステムにおいて、
前記アクチュエータは、ギアを介して前記アームに回転を伝えるロータとしたことを特徴とするセキュリティシステム。
【請求項２１】
ドアのような閉鎖可動部が部分的に開く所定角度を超えて開くのを阻止するセキュリティシステムにおいて、
外枠と、
使用状態で前記閉鎖可動部の開口端縁に隣接して前記外枠を取り付ける手段と、
閉鎖可動部の開閉をブロックしない不作動位置から、前記外枠を超えた作動位置から内外に変位可能なアームであって、前記作動位置では閉鎖可動部が部分的に開く前記所定角度を超えて開くことをブロックする該アームと
を備えた、該セキュリティシステムにおいて、
前記外枠は、閉鎖可動部の枠体における中空部分内に少なくとも部分的に配置することを特徴とするセキュリティシステム。
【請求項２２】
動きセンサ、警報および作動手段を備える携帯セキュリティユニットにおいて、動きセンサ、警報およびアクチュエータをそれぞれユニット内に収容した携帯セキュリティユニット。
【請求項２３】
請求項２２に記載の携帯セキュリティユニットにおいて、さらに、メッセージを発生する手段、多数の言語でのメッセージを格納するメッセージのバンク、およびユニットの使用者が使用するのに適切な言語を選択することを可能にする手段を備えた携帯セキュリティユニット。
【請求項２４】
請求項２２または２３に記載の携帯セキュリティユニットにおいて、さらに、離れた位置の個人に作動を表す信号を送信する送信機を備える携帯セキュリティユニット。
【請求項２５】
請求項２２〜２４のいずれか一項に記載の携帯セキュリティユニットにおいて、さらに、音声または画像または動画を収集するカメラまたはマイクを備え、カメラまたはマイクによって収集した音声または画像または動画を表す信号を送信する送信機と連動して作動する携帯セキュリティユニット。
【請求項２６】
閉鎖可動部が開くとポップアウトして目に見えるよう出現し、可動部が閉じると引っ込んだ位置に復帰するユニットを備えるドアまたは窓のような閉鎖可動部のためのセキュリティシステムにおいて、前記ユニットは、ユニットがポップアウト位置にあるときスイッチオン状態となる電動セキュリティコンポーネントと、リンク部材とを有し、このリンク部材は、前記閉鎖可動部に隣接して固定した前記セキュリティシステムの部分と前記閉鎖可動部に固定した前記セキュリティシステムの部分との間に延在し、所定レベルを超えて前記閉鎖可動部に圧力が加わるとセキュリティコンポーネントが作動するよう構成したセキュリティシステム。
【請求項２７】
請求項２６に記載のセキュリティシステムにおいて、前記セキュリティコンポーネントは噴霧器を備えるセキュリティシステム。
【請求項２８】
請求項２６または２７に記載のセキュリティシステムにおいて、前記セキュリティコンポーネントをカメラとしたセキュリティシステム。
【請求項２９】
請求項２６〜２８のいずれか一項に記載のセキュリティシステムにおいて、前記ユニットを前記閉鎖可動部に隣接する部分のキャビティに配置し、閉鎖可動部が開くと前記ユニットが枠体からポップアウトさせるバイアス手段を設けたセキュリティシステム。
【請求項３０】
請求項２６に記載のセキュリティシステムにおいて、前記閉鎖可動部の隣接部分は、噴霧器のための容器、１個またはそれ以上のバッテリー、および警報発生器を収容したセキュリティシステム。
【請求項３１】
請求項２６〜３０のいずれか一項に記載のセキュリティシステムにおいて、前記閉鎖可動部の隣接部分は、この隣接部分を前記閉鎖可動部の枠体に固定する手段を備え、閉鎖可動部に固定した前記隣接部分には、この隣接部分を閉鎖可動部および前記ユニットに動作可能に係合するストライクパネルに固定する手段を設け、これにより、前記閉鎖可動部を閉じるときストライクパネルがユニットを引っ込んだ位置に復帰させ、前記閉鎖可動部を開くときストライクパネルが前記ユニットから外れ、これにより前記ユニットが自由に目に見えるようポップアウトするセキュリティシステム。
【請求項３２】
加圧容器ホルダにおいて、使用にあたり加圧容器を配置するハウジングと、前記容器の中身を前記ハウジングから放出することを可能とする開孔と、および前記容器に作用して容器の中身を前記開孔から放出させるトリガ機構とを備え、前記ハウジングには、互いに正反対に対向する側に配置した２個の開孔を設け、これにより前記開孔のうち選択した一方から噴霧することができるよう構成した加圧容器ホルダ。
【請求項３３】
添付の明細書または図面の任意の組み合わせとして説明したような、セキュリティシステムまたは携帯セキュリティユニット。
【発明の詳細な説明】
【技術分野】
【０００１】
本発明は、セキュリティシステム、セキュリティ装置および容器に関する。
【背景技術】
【０００２】
最も近い先行技術文献としては、本発明の発明者自身による文献、特に特許文献１（国際特許公開第０３／０１６６６３号）および特許文献２（国際特許公開第００／０７３６０９号）がある。
【０００３】
従来技術としては、さらに、特許文献３（米国特許第５４０２０００号）および特許文献４（米国特許４０６２３０３号）に記載のものがある。
【０００４】
ドアをまだ少なくとも数゜の角度まで開くことができる状態にできるセキュリティシステムを改良するという一つの発明概念に関するこれら出願において、多くの発明を開示している。
【先行技術文献】
【特許文献】
【０００５】
【特許文献１】国際公開第０３／０１６６６３号
【特許文献２】国際特許第００／０７３６０９号
【特許文献３】米国特許第５４０２０００号明細書
【特許文献４】米国特許第４０６２３０３号明細書
【発明の概要】
【課題を解決するための手段】
【０００６】
第1の広い独立した態様として、本発明は、ドアや窓のような閉鎖可動部のためのセキュリティ装置を提供し、このセキュリティ装置は、
使用状態でリンク部材を取り付ける前記閉鎖可動部に配置する前記セキュリティ装置の分部と、使用状態で前記リンク部材を取り付ける前記閉鎖可動部に隣接して配置する前記セキュリティ装置の部分との間に延在するリンク部材であって、閉鎖可動部が所定角度を超えて開くのを制限する、該リンク部材と、
加圧した物質を収容する容器と、
支持構体に前記容器を固定する容器ホルダであって、これにより前記容器を前記閉鎖可動部の近傍の対象に噴霧する位置をとることができるようにする、該容器ホルダと、および
前記リンク部材に係合し、前記閉鎖可動部に所定レベルを超える圧力が加わると前記容器に圧力が加わり、これにより前記容器に噴霧を行わせるアクチュエータと
を備える。
【０００７】
この構造は、リンク部材に加わる引張り力によってトリガすることができるので特に有利である。したがって、少ない数のコンポーネント（構成部材）で作動させることができる。この構成によれば、容器を、ドアの開放時に噴霧する位置に配置することができる。
【０００８】
本発明の第１の広い態様に従属する実施形態において、前記アクチュエータには、前記容器ホルダに回動可能に取り付け、またリング部材に係合するレバーを設け、これにより、前記リンク部材に十分な引張力が加わるとき、レバーが前記容器に作用して噴霧を行わせる。この構成によれば、容器に加わる圧力を増大することができる。
【０００９】
他の実施形態において、前記レバーは、所定圧力レベルを超えるときのみ壊れる保持コンポーネントを備える構成とする。この構成により、ある動作モードで不慮のトリガを回避することができる。
他の実施形態において、セキュリティ装置は、さらに、レバーを取り付ける取り付け具を備え、前記保持コンポーネントを、レバーおよび取り付け具に貫通するせん断可能なピンとする。この構成により、複雑な電子的代替物の使用を回避する一回使用の安全装置が得られる。
【００１０】
他の実施形態において、前記セキュリティ装置は、さらに警報器を備える構成とする。この構造により、侵入者に対して相乗効果をもたらす。
【００１１】
他の実施形態において、前記レバーは、セキュリティ装置を作動させるために、前記容器に係合して持ち上げ、前記ホルダに押し付けるカム部を有する構成とする。この構造によれば、さらに、噴霧をトリガする際の有効性を改善する。
【００１２】
他の実施形態において、前記アクチュエータは、さらに、前記容器の下側に配置したディスク部材を有し、使用にあたりレバーがこのディスク部材に圧力を加えるよう構成する。これにより、容器の不慮の破裂を回避する。
【００１３】
他の実施形態において、２個またはそれ以上のディスク部材を、1個またはそれ以上のバネ部材により互いに連結する。この構成によれば、トリガを確実にするとともに、容器の破裂を回避することを保証する。
【００１４】
他の実施形態において、前記容器は、容器の上方部分に配置した噴霧装置をトリガするボタン、および側面に配置した噴霧ダクトを有し、セキュリティ装置は、さらに、容器ホルダとして作用し、また前記容器の噴霧ダクトに対応する少なくとも1個の側方開孔を設けたハウジングを備える。この構成により、ホルダを、多様なドア開放形態に使用することができる。
【００１５】
他の実施形態において、前記ハウジングは、前記ハウジングの両側に位置する２個の側方開孔を有する構成とする。
【００１６】
他の実施形態において、前記アクチュエータは、可聴警報および／または液体噴霧器を作動させる電気的または電子的回路を有する構成とする。
【００１７】
第２の広い独立した態様において、本発明は、閉鎖可動部を開くとポップアウトして目に見えるよう出現し、可動部を閉じると引っ込んだ位置に復帰するユニットを備えドアまたは窓のような閉鎖可動部のためのセキュリティシステムを提供し、前記ユニットには、ユニットがポップアウト位置にあるときにスイッチオン状態になる電動セキュリティコンポーネントを設ける。
【００１８】
この構造によれば、例えばドアが開く前には目に見えないようにできるなど、ドアのセキュリティを改善することができる。このシステムは、また、ドアや窓を普通の方法で操作でき、ドアの従来通りの使用に影響を与えないため、特に有利である。
【００１９】
この第２の態様の実施形態において、前記セキュリティコンポーネントをカメラとする。第２の態様と組み合わせによれば、使用しないときカメラのレンズを保護することができる。従って、使用のあらゆるモードでカメラを外部に露出する場合に起こりうるあらゆる損傷のリスクを制限する。
【００２０】
他の実施形態において、前記セキュリティコンポーネントを噴霧器とする。第２の態様の機能と組み合わせることにより、ドアが閉じているとき噴霧ノズルを環境から保護することができ、ノズルの詰まりを回避する。
【００２１】
他の実施形態において、前記ユニットを、枠体のキャビティ内に配置し、前記枠体にヒンジ連結しまたバイアス手段を設け、閉鎖可動部が開くとき前記ユニットを枠体からポップアウトさせるよう構成する。この構成によれば、セキュリティシステムを普通の枠体の容積内に装着できるため外部装置を必要としないので、特に有利である。
【００２２】
他の実施形態において、前記カメラは、前記ユニットから離れた位置に画像を表す信号を送信するために無線送信機と連動して作動する。これにより、使用者は遠隔位置から危険を評価することができる。
【００２３】
他の実施形態において、前記電動セキュリティコンポーネントを閉鎖可動部ブロッカーに連結し、この閉鎖可動部ブロッカーは、ドアが部分的に開く所定角度を超えて開くのを阻止し、また過度な圧力が前記ブロッカーに加わるとき作動するものとする。この構造によれば、例えばドアが開く角度の制御と同時に撮影および噴霧を行うことができるので特に有利である。
【００２４】
第３の広い独立した態様において、本発明は、ドアのような閉鎖可動部が部分的に開く所定角度を超えて開くのを阻止するセキュリティシステムを提供し、このキュリティシステムは、外枠と、使用状態で前記閉鎖可動部の開口端縁に隣接して前記外枠を取り付ける手段と、閉鎖可動部の開閉をブロックしない不作動位置から、前記外枠を超えた作動位置から内外に変位可能なアームであって、前記作動位置では閉鎖可動部が部分的に開く所定角度を超えて開くことをブロックする該アームとを備え、前記外枠を取り付ける手段は、前記外枠を固定するための多数の所定位置を備える。
【００２５】
この構造によれば、閉鎖可動部が外枠の位置に基づいて開く角度を変化させることができる。ドア可動部は、例えば建物の特に狭い入り口に固定することができる。
【００２６】
実施形態において、前記取り付け手段は、１個またはそれ以上のレールを備え、前記外枠をレールに取り付けて、多数の所定位置に配置することができるようにする。この構成によれば、外枠の移動を制御することができるため特に有利である。
【００２７】
第４の広い独立した態様において、本発明は、ドアのような閉鎖可動部が部分的に開く所定角度を超えて開くのを阻止するセキュリティシステムを提供し、このセキュリティシステムは、外枠と、使用状態で前記閉鎖可動部の開口端縁に隣接して前記外枠を取り付ける手段と、閉鎖可動部の開閉をブロックしない不作動位置から、前記外枠を超えた作動位置から内外に変位可能なアームであって、前記作動位置では閉鎖可動部が部分的に開く所定角度を超えて開くことをブロックする該アームと、および前記アームの動きを駆動するアクチュエータとを備え、前記アクチュエータは、ギアを介して前記アームに回転を伝えるロータとする。
【００２８】
この構造によれば、ロータからの回転伝達が運動メカニズムの損失なく駆動することができるため特に有利である。
【００２９】
第５の広い独立した態様において、本発明は、ドアのような閉鎖可動部が部分的に開く所定角度を超えて開くのを阻止するセキュリティシステムを提供し、このセキュリティシステムは、外枠と、使用状態で前記閉鎖可動部の開口端縁に隣接して前記外枠を取り付ける手段と、閉鎖可動部の開閉をブロックしない不作動位置から、前記外枠を超えた作動位置から内外に変位可能なアームであって、前記作動位置では閉鎖可動部が部分的に開く所定角度を超えて開くことをブロックする、該アームとを備え、前記外枠は、閉鎖可動部の枠体における中空部分内に少なくとも部分的に配置する。
【００３０】
この構造によれば、セキュリティシステムが存在する寸法内に主として含まれるため、特に有利である。侵入者が閉鎖可動部の枠体を破らなければならずシステムに損傷を与えるため、セキュリティシステムに保護を与える。
【００３１】
第６の広い独立した態様において、携帯セキュリティユニットを提供し、この携帯セキュリティユニットは、運動センサ、警報および作動手段を備え、動きセンサ、警報およびアクチュエータをそれぞれユニット内に収容する。
【００３２】
この構造によれば、ある監視位置から他の監視位置に送信可能にするために、装置を比較的小型にすることができるため、特に有利である。
【００３３】
実施形態において、ユニットはさらにメッセージを発生する手段、多数の言語でのメッセージを格納するメッセージバンク、およびユニットの使用者が使用する適切な言語を選択することを可能にする手段を備える。
【００３４】
この構造によれば、使用者が世界中の多数の地理的位置で携帯セキュリティユニットを使用できるため特に有利である。
【００３５】
他の実施形態において、ユニットはさらに、作動を表す信号を離れた個人の位置に送信する送信機を備える。
【００３６】
他の実施形態において、本発明はさらに、音声または画像または動画を収集するカメラまたはマイクを備え、カメラまたはマイクによって収集した音声または画像または動画の信号表示を送信する送信機と連動して作動するよう構成する。
【００３７】
これにより、使用者は離れた場所から、可能性のあるセキュリティ侵害の可能性を観察することができる。
【００３８】
第７の広い独立した態様において、本発明は、閉鎖可動部が開くとポップアウトして目に見えるよう出現し、可動部が閉じると引っ込んだ位置に復帰するユニットを備えるドアまたは窓のような閉鎖可動部のためのセキュリティシステムを提供し、このセキュリティシステムにおいて、前記ユニットは、ユニットがポップアウト位置にあるときにスイッチオン状態となる電動セキュリティコンポーネントと、リンク部材とを有し、このリンク部材は、前記閉鎖可動部に隣接して固定した前記セキュリティシステムの部分と前記閉鎖可動部に固定した前記セキュリティシステムの部分との間に延在し、所定レベルを超えて前記閉鎖可動部に圧力が加わるとセキュリティコンポーネントが作動するよう構成する。
【００３９】
この構造によれば、セキュリティコンポーネントを引っ込んだ状態で保護することができる。また、モータを備える必要なくすぐに作動可能なトリガ機構を提供する。
【００４０】
実施形態において、前記セキュリティコンポーネントは噴霧器とする。第７の態様の機能と組み合わせて、ドアが閉じているとき噴霧ノズルを環境から保護することができ、ノズルの詰まりを回避する。
【００４１】
他の実施形態において、前記セキュリティコンポーネントをカメラとする。第７の態様と組み合わせによれば、使用しないときにカメラのレンズを保護することができる。従って、カメラをいかなる使用モードで露出した場合に起こりうるあらゆる損傷のリスクを制限する。
【００４２】
他の実施形態において、前記ユニットを前記閉鎖可動部に隣接する部分のキャビティに配置し、閉鎖可動部が開くと前記ユニットが枠体からポップアウトさせるバイアス手段を設ける。この構造によれば、少なくとも必要なコンポーネントを最小限にする点において有利である。
【００４３】
他の実施形態において、前記閉鎖可動部の隣接部分は、噴霧器のための容器、１個またはそれ以上のバッテリー、および警報発生器を収容する。警報と噴霧器の組み合わせは改善された抑止力として働く。
【００４４】
他の実施形態において、前記閉鎖可動部の隣接部分は、この隣接部分を閉鎖部可動部の枠体に固定する手段を備え、閉鎖可動部に固定した前記隣接部分には、この隣接部分を閉鎖可動部および前記ユニットに動作可能に係合するためのストライクパネルに固定する手段を設け、これにより、前記閉鎖可動部が閉じるとストライクパネルによりユニットは引っ込んだ位置に復帰させ、可動部が開くときストライクパネルが前記ユニットから外れ、これにより前記ユニットが自由に目に見えるようポップアウトする。この構造によれば、ドア枠体内にポップアウトユニットを配置しなければならないことを回避し、従ってそれ自体をあらゆる既存ドアに後付けできる。
【００４５】
第８の独立した態様において、本発明は加圧容器ホルダを提供し、この加圧容器ホルダは、使用にあたり、加圧容器を配置するハウジングと、前記容器の中身を前記ハウジングから放出することを可能とする開孔、およびおよび前記容器に作用して容器の中身を前記開孔から放出させるトリガ機構とを備え、前記ハウジングには、互いに正反対に対向する側に配置した２個の異なる開孔を設け、これにより前記開孔のうち選択した一方から噴霧することができるよう構成する。これにより、ホルダをあらゆる開放方向に使用することができる。
【図面の簡単な説明】
【００４６】
【図１】セキュリティ装置の前方／側方から見た斜視図を示す。
【図２】セキュリティ装置の上方部分の拡大斜視図を示す。
【図３】側方プラグを組み込んだセキュリティ装置のエンクロージャの前方／側方から水平に見た斜視図を示す。
【図４】前方エンクロージャを取り外したセキュリティ装置の前方から見た斜視図を示す。
【図５】前方エンクロージャを取り外した他の実施形態によるセキュリティ装置の前方／側方から見た斜視図を示す。
【図６】セキュリティ装置の下方部分の拡大斜視図を示す。
【図７】後方外枠部材の後方から見た斜視図を示す。
【図８】セキュリティ装置、セキュリティチェーン、および取り付けブラケットの正面図を示す。
【図９】ドア枠に固定した部分およびドア可動部に固定した部分を有するドアセキュリティシステムを示す。この図は外側から見た線図的斜視図である。
【図１０】ドアが開いているときのセキュリティシステムの部分を示す。この図は内側から見た斜視図である。
【図１１】可能な噴霧域とともに、外側から見た他の斜視図を示す。
【図１２】ドア可動部が閉じているときのセキュリティシステム部分の線図的斜視図を示す。
【図１３】セキュリティ装置の下側から見た図を示す。
【図１４】ドアセキュリティシステムの端部区域の斜視図を示す。
【図１５】ドアセキュリティシステムのハウジングの断面図を示す。
【図１６】ドアセキュリティシステムのギアハウジングの断面図を示す。
【図１７】本発明による上述した実施形態の変更例の平面図を示す。
【図１８】Ａ）はセキュリティシステムが非作動状態にあるドアの正面図、Ｂ）はセキュリティシステムが作動状態にあるドアの正面図、Ｃ）はセキュリティコンポーネントを前方から見た斜視図を示す。
【図１９】Ａ）は非作動状態、Ｂ）は作動状態にあるセキュリティコンポーネントの線図的断面図を示す。
【図２０】セキュリティ装置をドアのような閉鎖可動部の枠内に配置する場合のセキュリティ装置の線図的断面図を示す。
【図２１】携帯セキュリティユニットの形式とした実施形態の斜視図を示す。
【図２２】Ａ）及びＢ）は、セキュリティシステムの他の実施形態を示す。
【図２３】アーマチャ、ギアハウジングおよびモータの斜視図を示す。
【図２４】アーマチャ、ギアハウジングおよびモータの一部断面とする斜視図を示す。
【図２５】アーマチャ、ギアハウジングおよびモータの他の実施例における一部断面とする斜視図を示す。
【図２６】アーマチャ、ギアハウジングおよびモータのさらに他の実施例の一部断面とする斜視図を示す。
【発明を実施するための形態】
【００４７】
図１は、半円筒形容器の前方に対向するエンクロージャ２を組み込んだ侵入防止セキュリティ装置１の前方／側方から見た斜視図を示す。エンクロージャ２は、ほぼ垂直方向に延在する外壁３を有し、この外壁３は、ほぼ矩形であり、後方に対向する輪郭（フットプリント）４を有する。エンクロージャ２は、さらに、内方に向かって隆起する傾斜部５を有し、この傾斜部はエンクロージャの最下部６に配置する。傾斜部５は中央溝孔７を有し、この中央溝孔は矢印７ａで示すほぼ垂直な平面に沿って延びて存在（延在）する。レバー部材８を中央溝孔７から突出させ、エンクロージャの最下部６から下方に向かって直線的に延在させる。レバー部材８は、エンクロージャの最下部６から最も遠い丸みを付けた部分１０の中央に円形開口９を設ける。２個の皿穴状開孔１１および１２を、エンクロージャのほぼ垂直な下側壁３ａ，３ｂの中央に配置する。エンクロージャ２には２個の円形の開孔１３，１４を設け、これら円形の開孔はエンクロージャ２の最上部１５に設ける。開孔１３は容器の最上部１５における前面の中心に配置する。開孔１３に円形プラグ１３ａを差し込んだ状態で示す。開孔１４はエンクロージャの最上部１５における右側面の中心に配置する。開孔１４は、垂直方向の外壁３および前方に対向するエンクロージャ２に等しい部分が残存する位置に配置した状態を示す。内部警報／液体噴霧装置１６を前方に対向するエンクロージャ２内に包囲する。この警報／液体噴霧装置１６を、開孔１４に整列させる。
【００４８】
侵入防止セキュリティ装置１は、レバー８を矢印７ａで示す方向に変位させると作動する。作動中、セキュリティ装置１は警報または液体噴霧装置１６を作動させ、開孔１４から警報または液体噴霧を放出する。円形プラグ１３ａを取り外すと、セキュリティ装置１を再構成し、開孔１３から警報または液体噴霧を放出するようにすることができる。このとき円形プラグ１３ａを、使用しない開孔１４に差し込むことができる。
【００４９】
図２は侵入防止セキュリティ装置１、半円筒形エンクロージャ２、最上部１５の拡大斜視図を示す。この図は、エンクロージャの最上部１５における円形の開孔１３，１４の位置、開孔１３に配置する円形プラグ１３の位置、および開孔１４に整列して包囲される警報および／または液体噴霧装置を明示する。開孔１４のような開孔は、ユニットの両側に位置し、ドアのどちら側でも作動可能にする。
【００５０】
図３は侵入防止セキュリティ装置１の他方の側における斜視図を示す。この図は、２個の円形の開孔１３，１７を有するエンクロージャの最上部１５を示す。開孔１7は、エンクロージャの最上面１５における左側側面の中心に位置する。開孔１７は、垂直方向の外壁３および前方に対向するエンクロージャ２に等しい部分が残存するよう配置した状態を示す。開孔１３，１７は、円形プラグ１３ａ，１７ａを差し込んだ状態を示す。
【００５１】
図４は、前方に対向するエンクロージャ２（図示せず―図１参照）を取り外した侵入防止セキュリティ装置１の側方から見た斜視図を示す。この図は後部外枠部材１８を示し、それは使用にあたり、垂直面（図示せず）、例えばドアまたは壁のフレームに取り付ける。外枠部材１８は、ほぼ垂直方向の外壁２９，２９ａおよび３０を有する。外壁２９は、その上部に円形の開孔２７を有する。外壁３０はその上部に円形の開孔２８を有し、それは開孔２７と鏡対称である。警報／噴霧装置１６は後部外枠部材１８内に配置する。警報／噴霧装置１６は、さらに、側面の開孔２７に整列する。警報／噴霧装置１６は、平坦な水平最上面２５ｂを有する上側の円筒形キャップ２５、および円筒形本体２４を有する。主本体２４は円筒形の側面２４を有する。円筒形キャップ２５は軸線ＡＡに沿って垂直方向に変位可能にする。円筒形キャップ２５は、円筒形本体２４にオーバーラップする円筒部２５ａを有する。円筒形キャップ２５は円筒形本体２４に固着する。円筒形本体２４は円形ディスク３１の上面に衝合する。円形ディスク３１は中心突起３２を有し、この中心突起は円形ディスクの下面に直交する。螺旋バネ３３の対向端部を中心突起３２に取り付ける。円筒形本体すなわち、缶（キャニスタ）２４の下面を円形ディスク３１に衝合する。円形ディスク３１は突起３２を有し、この突起は円形ディスク３１の中心に取り付ける。突起３２は螺旋バネ３３内に配置する。バネ３３の反対側端部を突起３５に取り付ける。突起３５は円形ディスク３４の上面の中心に取り付ける。円形ディスク３１，３４は後部外枠部材１８の中心に位置し、軸ＡＡに沿って垂直方向に整列する。突出するレバーアーム部材８は、矩形の固定ブラケット１９にヒンジ部２０ａを介して、後部外枠部材１８に固着する。レバーアーム部材８は、後部外枠最下端から下方に直線的に突出する。レバーアーム部材８は、さらに、その上部に突出カム部２１を有する。レバーアーム部材は、最も遠い丸みの付いた部分１０の中心に円形孔９を有する。固定ブラケット１９は、４個の円形固定ポイント２０で後部外枠部材１８に固着する。固定ブラケット１９は後部外枠部材１８の下部の中心に取り付ける。固定ブラケット１９は２個の直交フランジ２３を有し、軸線ＡＡに沿って垂直方向および中心に取り付ける。２個の直交フランジ２３は、その上方直交部に位置するヒンジ部２０ａを有する。直交フランジ２３はまた、下方直交部に位置する保持シヤー（剪断）ピン２２を有する。
【００５２】
侵入防止セキュリティ装置１はチェーン（図示せず）によって作動し、このチェーンは、円形孔９でレバーアーム部材８に取り付ける。チェーンは前方および上方にレバーアーム８を引っ張ることができ、これにより固定シヤーピン２２に圧力が加わる。所定圧力Ｄ、保持シヤーピン２２がせん断し、レバーアーム部材８は、前方及び上方動作の限界に達するまで移動する。レバーアーム部材８が前方及び上方に移動するとき、ヒンジ部２０ａの周りに回転する。この回転中、突出カム部２１が円形ディスク３４の下面に係合する。レバーアーム８がヒンジ部２０ａの周りに回転するとき、カム部２１の外側垂直方向輪郭が円形ディスク３４を垂直方向上方に移動する。円形ディスク３４が垂直方向上方に移動するにつれて、螺旋バネ３３に垂直方向上方に圧力を加え、次に円形ディスク３１に垂直方向上方に圧力を加える。従って、円形ディスクが垂直方向上方に移動するにつれて、警報／噴霧装置１６の円筒形本体２４に係合する。円筒形本体２４は垂直方向上方に、また円筒形キャップ２５内に変位する。円筒形本体２４の円筒形キャップ内への変位は、円筒形部分２５ａ内に収容される。円筒形本体２４が垂直方向上方に変位するとき、円筒形キャップ２５に垂直方向の圧力が加わり、次に外壁２９ａの内面に係合して円筒形キャップの水平最上面２５ｂに係合する。垂直方向の圧力が増加するにつれて、円筒形本体２４は円筒形キャップ２５内に変位し、これにより警報／噴霧装置１６を作動させるよう円筒形キャップ内のバルブ（図示せず）が開く。警報／噴霧装置１６の作動する結果、装置１６から侵入者に向けて、開孔２７および前方の半円筒形エンクロージャにおけるにおける開孔（図1の１４参照）から、警報音またはセキュリティ液体を放出する。
【００５３】
図５は、侵入防止セキュリティ装置１の他の実施形態における側方から見た斜視図を示す。この図は図４と全く同じであるが、後部外枠部材１８およびそこに収容されるすべての装置コンポーネントの嵩が増大した側方から見た斜視図となっている。
【００５４】
図６は、後部外枠部材１８の下部の側方から見た拡大斜視図を示す。この図はヒンジ部２０ａを介して固定ブラケット１９に取り付けたレバーアーム８を示す。ヒンジ部２０ａおよび保持シヤー（剪断）ピン２２は双方とも２個の直交フランジ２３に配置する。突出カム部２１の輪郭によれば、レバーアーム８が矢印１９ａで示す方向にヒンジ部２０ａの周りに回転するとき、カム部２１がどのように円形ディスク３４に垂直方向上方に圧力を加えて、警報／噴霧装置１６を作動させるかが分かる。
【００５５】
図７は侵入防止セキュリティ装置１の後方から見た斜視図を示す。この図は後部外枠１８の後側フットプリントを示し、壁または垂直面に係合する。
【００５６】
図８は侵入防止セキュリティ装置１と共にセキュリティチェーン４０，４４の前方から見た斜視図を示す。双方のセキュリティチェーンは金属リング４１に固着し、この金属リング４１はレバーアーム８に固着する。固定ブラケット４５を使用して、金属リング４１を介してセキュリティ装置１からドアにセキュリティチェーン４０を取り付ける。固定ブラケット４２を使用して、金属リング４１を介してセキュリティ装置１から垂直面にセキュリティチェーン４４を取り付ける。
【００５７】
セキュリティ装置は、ドア枠を介してドアに隣接して、または壁に、配置する。セキュリティ装置のとくに有利な実施形態としては、乗り物（道路走行車、海上船、航空機）、例えばバンの後部ドアに配置するものがある。突出するレバーアーム部材８はリングを有し、このリングにチェーンを設け、このチェーンは、壁に取り付けた着脱可能な固定ブラケットにおける固定ブラケットに連結し、さらに、このチェーンは、第２のチェーンに取り付け、この第２チェーンをドア枠または壁におけるセキュリティ装置の下側のアンカーポイントに連結する。セキュリティ装置の配置は、侵入者がドアを通り抜けるときに侵入者の方向に噴霧及び警報を放出する側にノズル２６を対面する、または侵入者がドアに近づくときにノズルが侵入者に流体／警報を浴びせる前面対向方向に向くようにする。
【００５８】
ドアを引くまたは強く引くとき、固定ピンは相当大きな力が加わるまで壊れないため、ドア経路に入ろうとする意思を示すと、保持ピンを破壊し、これにより突出するレバーアーム部材は上方に持ち上がり、カム部が下側の円形ディスクに係合することができ、そしてバネを圧縮し、第２円形ディスクを持ち上げて容器（キャニスタ）の底面に係合し、容器を上方に押し上げ、容器キャップをエンクロージャの頂部内面に係合させ、これによりセキュリティ装置の容器を作動させ、警報／流体を侵入者の方向に向けて浴びせる。本発明の他の実施形態では、容器は電子的サブアセンブリと交換することができ、この電子的サブアセンブリは内蔵電源または主電源を備えるものとし、この電源はパッド／ディスクを有し、このパッド／ディスクが上述の実施形態で説明したようなレバーに係合するが、このレバーはカムの代わりに電子電気回路コンポーネントを作動させ、警報を鳴らすまたは様々な検知警報信号が発生し、ならびにカートリッジ型の流体ベースのマーカーを侵入者がいるであろう方向に発する。
【００５９】
本発明の範囲内における特別使用のために開発された装置のうち一つとして、化学物質放出機構があり、この機構は、力を用いて正面ドア侵入しようとする試みによって作動すると、侵入者であろうと思われる人物に自動的に追跡液体でマーク付けする。
【００６０】
この追跡液体は透明な無毒のＵＶベースの物質であり、紫外線光の下でのみ見ることができ、所定容器に対して固有の追跡可能なＤＮＡコードを付与する。衣服や肌に付着すると、剥脱および衣服洗濯をしても数週間残ることができる。逮捕され、容疑者がこの物質で汚れていることが分かった場合、関連機関がしみを分析することができ、このセキュリティ装置が設置され登録された正確な場所を特定することができ、その容疑者が特定犯罪の場所、同時刻にいたことを明らかにし、これにより検挙率が増加する。
【００６１】
シーケンス：
１：外枠に化学物質容器および１３８デシベルの甲高いアラームを組込み、この外枠をドアに極めて近接する枠体（フレーム）に固定する。
２：セキュリティチェーンを前方／後方ドアを開ける前に所定位置に設置し、枠体から箱（セキュリティ装置）内の固定取り付け具からドアに装着した保持装置に連結する。
３：このチェーンを固定した箱の底面に装着した二重機能のトリガ機構に取り付け、ドアを過度な力で押し保持ピンが壊れ、したがってトリガ機構を引くと、音響器が音を鳴らし、容量に達すると二重警報機能がＵＶ＆ＤＮＡ追跡液体を噴霧する。
【００６２】
図９は、ドアまたは窓のような閉鎖可動部に装着した状態のセキュリティシステムを示す。セキュリティシステムの部分４６は、ネジのような多くの着脱可能な取り付け手段を設ける多くの開孔を設けたプレート４８によってドア枠４７に固定する。このプレートをドア枠に固定してから、ハウジング４９をプレートに固定する。ハウジング４９の内部には容器５０を設け、この容器は加圧した化学物質を収容し、この化学物質は以下のグループ、すなわち催涙ガス、固有の識別可能なＤＮＡ配列および／または色素を有する液体よりなるグループから選択することができる。ポップアウトユニット５１は、隙間５２のような互いに密に隣接する複数個の開孔５２を有するくさび状部を有する。加圧した流体がこれらの開孔を経て通過すると、スプレーが生ずる。ポップアウトユニットはバイアス手段によって図示する位置をとるようにする。電気回路は、ポップアウトユニットはハウジング内に設け、ポップアウト位置にあるときにセキュリティシステムを作動させる。
【００６３】
ハウジングには、さらに、前面に開孔５３のような複数個の開孔を設ける。これら開孔は、中心点から半径方向に延びる多数のライン上に延在する。開孔のごく近傍、かつハウジング内には、非常（パニック）警報を鳴らすことができる音響器５４のような警報発生器を設ける。非常警報は、操作者が図２に示すような非常（パニック）ボタン５５を押すことによりトリガする、または単にセキュリティシステムがドアに加わる非常な圧力を検知して警報を鳴らすようにする。警報はいくつかの形態をとることができる。例えば個別に録音したものまたは騒音とすることができる。
【００６４】
図１０は同様にポップアウト位置にあるポップアウトユニットを示す。図９は、ねじ５７のような多くのネジを使用することによりドア可動部自体に固定した部分５６を示す。部分５６は、２個の突起５９，６０を有する平坦なベース部５８を有する。突起５９は、ドア可動部を閉じるとき、ポップアウトユニット５１が係合するストライクパネルとして作用する。ストライクパネルは、ドア可動部が閉じるときポップアウトユニットがセキュリティシステムのハウジングの内部に確実に存在するようにする。突起６０は、チェーンを挿通することができる側方開口６２を有する開孔６１を設ける。チェーン６３は、ドア可動部に固定した部分５６とドア可動部の枠体に固定した部分４６との間に設ける。ドアチェーンはセキュリティシステムのトリガとして作用する。所定閾値を超える圧力がドア可動部に加わる場合、警報発生器９が鳴らす、またはポップアウトユニットが噴霧する。本発明は、さらに、噴霧器をカメラに交換することも想定している。代案として、ユニットは、また、噴霧器およびカメラの双方を同一ポップアウトユニットに組み込む、または２個の個別のポップアウトユニットに配置することができる。
【００６５】
図１１は、図９および図１０で示したものと同一セキュリティユニットの実施形態を、可能な噴霧域６４とともに示す。
【００６６】
図１２は、ストライクプレート５９がハウジングに設けたキャビティ内にポップアウトユニット５１を保持するときの、引っ込んだ状態のポップアウトユニット５１を示す。容器５０はボタンまたはバルブ６５を有し、それが下方に引かれることにより加圧流体が噴霧器に向かう。安全メカニズムを設け、ポップアウトユニット５１が引っ込んだ状態にあるときに加圧流体がユニットから出て行かないようにすることができる。バッテリー６６を設け、非常ボタンを押すまたは過度の圧力がドア可動部に加わるとき、音響器に作用して警報を鳴らすようにすることができる。
【００６７】
発光ダイオードの形式とした作動表示手段６７を設け、使用者が、システムが機能しているかを確認できようにする。
【００６８】
セキュリティシステムのドア枠または隣接する構造部分に固定した部分は、ドア枠自体の内部に設けることができる。この構造では、ドア自体の端縁がストライクパネルとして作用し、またこの機構のトリガは強制的侵入を感知する適切な手段によって行うようにすることができる。この適切な手段は、例えば公開された特許文献５（国際公開第ＷＯ０３／０３８３８０号）または特許文献６（国際公開第ＷＯ００／７３６０９号）に記載されたようなチェーンレスドアブロッカー内に組み込むことができる。
【００６９】
図１３は、ドアまたは窓のような閉鎖可動部に隣接して装着するのに特に適する、全体的に参照符号６８で示すセキュリティシステムを示す。セキュリティシステムは、電子的および機械的コンポーネントを収容するハウジング６９を有する。ハウジングは、スチールまたは曲げ抵抗のある任意な他の類似した適切な材料で形成することができる。ハウジング６９から突出して、図に示すように位置７１と位置７２との間で回転可能なアーム７０を設ける。位置７１は、アームは不作動位置であり、この位置では閉鎖可動部の開閉をブロックしない。位置７２では、アームは作動位置であり、この位置ではドアは所定部分的開放角度まで開くことが可能である。ハウジング内に配置したロータは、位置７１から位置７２へ、また位置７２から位置７１への動作を駆動する。ボルト７３、７４、７５そして７６のような多数のボルトをベース部７７に沿って一定間隔に設け、セキュリティシステムをドア枠体の近傍における壁部に固定する。
【００７０】
図１４は、セキュリティシステムの９は端部における内部とともに、ボルト７３，７４をより詳細に示す。ハウジングのカバーをベース部７７に設けた窪み７８にクリップ留めする。ギアハウジング７９は、ロータの軸の回転をアーム７０に伝達する。ギアハウジング７９は、セキュリティシステムのベース部７７に設けたレール８０，８１に取り付けることができる形状に形成しまた構成する。この構成により、アームをベース部に沿って様々な位置に配置することができ、例えば様々なドアおよび建物へのエントランスに適合できるようにする。アーム７０は、凸状の内面および外面８２，８３を有するほぼＬ字状のものとして示す。
【００７１】
図１５はアーム７０およびギアハウジング７９をより詳細に示す。アーム７０は、ギアハウジング７９に対して、ギアの可動部分８５に一体の取り付けブロック８４を介して連結する。可動部分８５は、ねじ８６を介して取り付けブロック８４に固定する。ギアハウジング７９に２個の溝８７，８８をモ設け、これら溝はセキュリティシステムのベース部に設けたレール８０，８１に対応する。ロータの適切な寸法の歯（図示せず）を、適切な寸法の可動部分の歯８９に係合させる。
【００７２】
図１６は、図１５の上述したコンポーネントをより詳細に示す。この実施例において、取り付けブロック８４およびアーム７０は一体に形成する。
【００７３】
図１７は、ギアハウジング７９に係合するロータ９０を示す。ギアハウジングとロータの組み合わせは、上述の溝およびレールを介してだけでなく、ボルトを配置することができる拡張部９１，９２を介しても固定する。この構成により、ギアハウジングとロータの組み合わせをハウジングの残りの部分にから独立して固定することができる。セキュリティシステムの他のコンポーネントを、全体的に参照符号９３で示す必要な制御電子回路として示す。この実施例において、セキュリティシステムのベース部を貫く多数の孔を設けることを想定でき、これによりギアハウジングおよびロータの組み合わせを様々な位置Ｐ１，Ｐ２およびＰ３にベース部に配置および固定することができる。
【００７４】
図１８（Ａ）は、セキュリティシステムが不作動状態にあるドアを示す。図１８（Ｂ）は、わずかに開いたドアを示し、この時セキュリティコンポーネントは枠体からポップアウトして見えている。セキュリティコンポーネントは、自給できるバッテリーを備えることができる。代案として、ドアの枠体を通して配線することができる。この実施例においては、噴霧器９５の隣接配置するカメラまたはミニカメラ９４を備える。
【００７５】
図１９に示すように、セキュリティコンポーネントは、断面がほぼ三角形である。コンポーネントは、ヒンジ９６によってヒンジ動作し、ドア枠体の中空部分９７に配置する。バネ９８をセキュリティコンポーネントの衝合部９９と面１００との間に配置する。ドアを開くと、図１９（Ｂ）に示すようにバネの圧迫によりコンポーネントをドア枠体から突出させ、カメラおよび噴霧器を露出させる。ドアを閉じると、ドアは三角形の狭隘部を閉じ、セキュリティコンポーネントをドア枠体に設けた中空空間内に強制的に戻し込む。システムの電子装置は、セキュリティコンポーネントが突出位置にあるときのみ作動するよう設定し、その状態においてカメラは前方ドアの前方における光景の画像および動画を記録する。不正アクセスの試みが行われる場合、センサが作動し化学物質が噴霧器から放出される。
【００７６】
図２０は、Ｕ字状のドア枠１０１とドア枠体内に配置するセキュリティ装置１０２を示す。枠体は、ドアの外縁に沿って延在するプレート１０３により従来のように閉止する。セキュリティ装置１０２は、ドア１０４がブロック位置を越えて開かないように、所定ドアブロック位置の前後に動かすことができるアームを備える。この実施形態において、セキュリティシステムはまたドア枠体自体によって保護される。ドア枠体およびセキュリティシステムの双方とも、ボルト１０６により隣接する壁１０５に同時に固定する。
【００７７】
図２１は、ユニットを作動状態および不作動状態にするタッチパッド１０８を有する携帯セキュリティユニット１０７を示す。ユニットは、音および／または警報信号を発生するという二重機能を有することができる多くの拡声器１０９，１１０を備える。音はラジオ受信機のような任意の適切なオーディオ装置によって生成できる。セキュリティユニットには動きセンサ１１１を設け、この動きセンサは、ホテル、アパート、キャラバン、テント、エントランスに向けるまたは整列させるまたはそれらに向けて配置することができる水銀／衝撃スイッチまたは音波バブルとすることができ、またシステムを作動状態にする前に所定期間を設定する４桁コードを制御パッドによって入力することにより設定することができる。時間の遅れは、例えば１０〜２０秒とすることができる。動きセンサに加えて、ユニットに煙／一酸化炭素検知器１１２を設け、煙または一酸化炭素が所定レベルを超えると警報が鳴る。装置は、また、動きによってトリガされる噴霧器および警報器の組み合わせを設けることもできる。
【００７８】
動きセンサに代えて、または付加的に、ミニカメラのようなカメラを装着することができる。ミニカメラは暗視能力を有することが好ましい。カメラは、好適には、ドアに向けることができる動きセンサによって動作するようにする。ユニットの頂部における小さい画面を使用して、整列調整することができる。
【００７９】
カメラが動きにより作動すると、ある時間にわたって記録する。可聴警報は、初期には「アラーム発動（alarm activated）」というワードとすることができ、侵入者であろうと思われる人物に再考させ立ち去るのに十分な時間を与える。ユニットは望ましくは通訳ソフトウェアを備え、これにより警報システムが発する任意の口上をその時訪れる国の言語にすることができる。
【００８０】
動きが継続するまたは衝撃センサが作動する場合、警報が鳴るよう設定する。ユニットに内蔵するバッテリーは、４桁コードを入力することにより不作動状態になるまで警報を鳴らすことができる。
【００８１】
システムには、さらにテキスト画像／動画送信機能を組み込むこともでき、所有者／使用者に警報が発動したことのメッセージを送信し、彼または彼女に適切な行動をとらせるようにすることができる。
【００８２】
さらに、システムは画像および動画を送信することができ、例えばユニットのカメラによって確認された人物が侵入者でなければ、ユニットを遠隔操作してスイッチオフにすることができる。従って、ワイヤレス送受信機能をユニットに組み込む。
【００８３】
図２２はスタンドアローンのセキュリティユニット１１３を示し、このセキュリティユニット１１３は、ネジ１１６，１１７のような１個またはそれ以上のネジにより、既存のドア枠体または交換したドア枠体またはドア可動部１１５に隣接する壁に固定することができるハウジング１１４を有する。適切な突出部１１８には、これらのネジを収容する多数の窪みを設ける。プレートの形式としたストライクパネル１１９を、適切な寸法の孔１２１に挿通する１個またはそれ以上のネジ１２０によりドア１１５に取り付ける。
【００８４】
スタンドアローンのセキュリティユニットにおける機構は、先行する図面で説明した機構に類似する。ハウジング１１４内にはセキュリティコンポーネント１２２を設け、このコンポーネントは１個のコーナー１２３にヒンジ連結し、バネ１２４によってハウジングの開口から突出するよう押圧偏倚する。バネ１２４により、ドアを開くときドアおよびストライクパネルが離れて、セキュリティコンポーネント１２２はハウジング１１４からポップアウトする。この状態を図２２ｂに示す。セキュリティコンポーネントがポップアウトすると、カメラまたは噴霧器または双方が露出する。このスタンドアローンの実施形態では、ハウジング１１４はカメラおよび噴霧器の機能を駆動するためのバッテリーを備えることができる。
【００８５】
図２３，２４，２５および２６は、外枠の対応するレール上に溝１２８を介して固定することができるハウジング１２７に軸１２６を介して取り付けたアーム１２５を示す。ハウジング１２７の反対側に位置する他の溝１２９（図２６参照）を設け、ハウジングをレールまたはガイドに取り付けるようにする。軸１２６は、ギアの歯付きテーパ部１３０を設け、このギアの歯を、テーパ部を有する他の軸１３１に設けた対応するギアの歯に係合させる。軸１３１はロータ軸１３２に係合する。これらギアは軸の回転軸線を互いに９０°の角度をなすようにし、システムの小型化を改善することができる。
【図１】
2010525202.tif 000003
【図２】
2010525202.tif 000004
【図３】
2010525202.tif 000005
【図４】
2010525202.tif 000006
【図５】
2010525202.tif 000007
【図６】
2010525202.tif 000008
【図７】
2010525202.tif 000009
【図８】
2010525202.tif 000010
【図９】
2010525202.tif 000011
【図１０】
2010525202.tif 000012
【図１１】
2010525202.tif 000013
【図１２】
2010525202.tif 000014
【図１３】
2010525202.tif 000015
【図１４】
2010525202.tif 000016
【図１５】
2010525202.tif 000017
【図１６】
2010525202.tif 000018
【図１７】
2010525202.tif 000019
【図１８Ａ）】
2010525202.tif 000020
【図１８Ｂ）】
2010525202.tif 000021
【図１８Ｃ）】
2010525202.tif 000022
【図１９Ａ）】
2010525202.tif 000023
【図１９Ｂ）】
2010525202.tif 000024
【図２０】
2010525202.tif 000025
【図２１】
2010525202.tif 000026
【図２２】
2010525202.tif 000027
【図２３】
2010525202.tif 000028
【図２４】
2010525202.tif 000029
【図２５】
2010525202.tif 000030
【図２６】
2010525202.tif 000031
【国際調査報告】
2010525202.tif 000032
2010525202.tif 000033
2010525202.tif 000034
2010525202.tif 000035
2010525202.tif 000036
2010525202.tif 000037
2010525202.tif 000038
2010525202.tif 000039